【手続補正書】
【提出日】平成18年1月30日(2006.1.30)
【手続補正１】
【補正対象書類名】明細書
【補正対象項目名】発明の名称
【補正方法】変更
【補正の内容】
【発明の名称】光学機器およびレンズ装置
【手続補正２】
【補正対象書類名】明細書
【補正対象項目名】特許請求の範囲
【補正方法】変更
【補正の内容】
【特許請求の範囲】
【請求項１】  光軸方向に移動可能な可動レンズと、
前記可動レンズを駆動するレンズ駆動手段と、
可動範囲内で操作される操作部材と、
前記操作部材を駆動する操作部材駆動手段と、
前記操作部材の位置を検出するための信号を出力する操作部材位置検出手段と、
前記可動レンズを移動させるための信号を出力する信号出力手段と、
前記操作部材位置検出手段からの出力に基づいて前記レンズ駆動手段を駆動し、前記信号出力手段からの信号に基づいて前記操作部材駆動手段を駆動する制御手段と、
前記操作部材駆動手段から前記操作部材への駆動力伝達を行う伝達状態と駆動力伝達を行わない非伝達状態とに切り換え可能な切換え機構と、
前記切換え機構の状態を検出するための信号を出力する切換え機構検出手段とを有し、
前記制御手段は、前記切換え機構検出手段からの信号に基づいて前記切換え機構の状態を検出し、前記切換え機構が前記伝達状態にあるときは前記信号出力手段からの信号入力に応じて前記操作部材駆動手段の駆動を行い、前記切換え機構が前記非伝達状態にあるときは前記信号出力手段からの信号入力に応じた前記操作部材駆動手段の駆動を制限することを特徴とする光学機器。
【請求項２】  前記制御手段は、前記切換え機構が前記非伝達状態にあって前記信号出力手段から信号が入力されたときは、警告動作を行うことを特徴とする請求項１に記載の光学機器。
【請求項３】  光軸方向に移動可能な可動レンズと、
前記可動レンズを駆動するレンズ駆動手段と、
可動範囲内で操作される操作部材と、
前記操作部材を駆動する操作部材駆動手段と、
前記操作部材の位置を検出するための信号を出力する操作部材位置検出手段と、
前記可動レンズを移動させるための信号を出力する信号出力手段と、
前記操作部材位置検出手段からの信号に基づいて前記レンズ駆動手段を駆動し、前記信号出力手段からの信号に基づいて前記操作部材駆動手段を駆動する制御手段と、
前記操作部材駆動手段から前記操作部材への駆動力伝達を行う伝達状態と駆動力伝達を行わない非伝達状態とに切り換え可能な切換え機構と、
前記切換え機構の状態を検出するための信号を出力する切換え機構検出手段と、
前記切換え機構を前記伝達状態と前記非伝達状態との間で切り換え作動させる切換え機構作動手段とを有し、
前記制御手段は、前記切換え機構検出手段からの信号に基づいて前記切換え機構の状態を検出し、前記切換え機構が前記伝達状態にあり、かつ前記操作部材駆動手段が駆動されていないときに前記操作部材位置検出手段からの信号に変化があったときは、前記切換え機構作動手段により前記切換え機構を前記伝達状態から前記非伝達状態に切り換えることを特徴とする光学機器。
【請求項４】  光軸周りに回転可能であって、手動で操作される操作部材と、
前記操作部材を駆動する操作部材駆動手段と、
前記操作部材駆動手段から前記操作部材への駆動力伝達を行う伝達状態と駆動力伝達を行わない非伝達状態とに切り換え可能な切換え機構と、
前記操作部材の回転位置を検出する操作部材位置検出手段と、
前記切換え機構を前記伝達状態と前記非伝達状態との間で切り換え作動させる切換え機構作動手段と、
前記操作部材位置検出手段の検出結果に応じて、光軸方向に移動可能な可動レンズと、
前記可動レンズを移動させるための信号を前記操作部材駆動手段に出力する信号出力手段とを有し、
前記切換え機構作動手段は、前記信号出力手段からの信号入力に応じて、前記切換え機構を前記非伝達状態から伝達状態に切り換えることを特徴とする光学機器。
【請求項５】  前記光学機器は、
前記可動レンズを有するレンズ装置と、
該レンズ装置が着脱可能に装着されるカメラとを含むことを特徴とする請求項１から４のいずれかに記載の光学機器。
【請求項６】  カメラに着脱可能に装着されるレンズ装置であって、
光軸方向に移動可能な可動レンズと、
前記可動レンズを駆動するレンズ駆動手段と、
可動範囲内で操作される操作部材と、
前記操作部材を駆動する操作部材駆動手段と、
前記操作部材の位置を検出するための信号を出力する操作部材位置検出手段と、
前記操作部材位置検出手段からの信号に基づいて前記レンズ駆動手段を駆動し、前記カメラから送信された前記可動レンズを移動させるための信号に基づいて前記操作部材駆動手段を駆動する制御手段と、
前記操作部材駆動手段から前記操作部材への駆動力伝達を行う伝達状態と駆動力伝達を行わない非伝達状態とに切り換え可能な切換え機構と、
前記切換え機構の状態を検出するための信号を出力する切換え機構検出手段とを有し、
前記制御手段は、前記切換え機構検出手段からの信号に基づいて前記切換え機構の状態を検出し、前記切換え機構が前記伝達状態にあるときは前記カメラからの信号入力に応じて前記操作部材駆動手段の駆動を行い、前記切換え機構が前記非伝達状態にあるときは前記カメラからの信号入力があっても前記操作部材駆動手段の駆動を制限することを特徴とするレンズ装置。
【請求項７】  前記制御手段は、前記切換え機構が前記非伝達状態にあって前記カメラからの信号が入力があったときは、前記カメラに、警告動作を行わせる信号を送信することを特徴とする請求項６に記載のレンズ装置。
【請求項８】  カメラに着脱可能に装着されるレンズ装置であって、
光軸方向に移動可能な可動レンズと、
前記可動レンズを駆動するレンズ駆動手段と、
可動範囲内で操作される操作部材と、
前記操作部材を駆動する操作部材駆動手段と、
前記操作部材の位置を検出するための信号を出力する操作部材位置検出手段と、
前記操作部材位置検出手段からの信号に基づいて前記レンズ駆動手段を駆動し、前記カメラから送信された前記可動レンズを移動させるための信号に基づいて前記操作部材駆動手段を駆動する制御手段と、
前記操作部材駆動手段から前記操作部材への駆動力伝達を行う伝達状態と駆動力伝達を行わない非伝達状態とに切り換え可能な切換え機構と、
前記切換え機構の状態を検出するための信号を出力する切換え機構検出手段と、
前記切換え機構を前記伝達状態と前記非伝達状態との間で切り換え作動させる切換え機構作動手段とを有し、
前記制御手段は、前記切換え機構検出手段からの信号に基づいて前記切換え機構の状態を検出し、前記切換え機構が前記伝達状態にあり、かつ前記操作部材駆動手段が駆動されていないときに前記操作部材位置検出手段からの信号に変化があったときは、前記切換え機構作動手段により前記切換え機構を前記伝達状態から前記非伝達状態に切り換えることを特徴とするレンズ装置。
【請求項９】  カメラに着脱可能に装着されるレンズ装置であって、
光軸周りに回転可能であって、手動で操作される操作部材と、
前記操作部材を駆動する操作部材駆動手段と、
前記操作部材駆動手段から前記操作部材への駆動力伝達を行う伝達状態と駆動力伝達を行わない非伝達状態とに切り換え可能な切換え機構と、
前記操作部材の回転位置を検出する操作部材位置検出手段と、
前記操作部材位置検出手段の検出結果に応じて、光軸方向に移動可能な可動レンズと、
前記切換え機構を前記伝達状態と前記非伝達状態との間で切り換え作動させる切換え機構作動手段と、
前記可動レンズを移動させるための信号を前記操作部材駆動手段に出力する信号出力手段とを有し、
前記切換え機構作動手段は、前記信号出力手段からの信号入力に応じて、前記切換え機構を前記非伝達状態から伝達状態に切り換えることを特徴とするレンズ装置。
【手続補正３】
【補正対象書類名】明細書
【補正対象項目名】００１９
【補正方法】変更
【補正の内容】
【００１９】
【課題を解決するための手段】
上記の課題を解決するために、本願第１の発明の光学機器は、光軸方向に移動可能な可動レンズと、可動レンズを駆動するレンズ駆動手段と、可動範囲内で操作される操作部材と、操作部材を駆動する操作部材駆動手段と、操作部材の位置を検出するための信号を出力する操作部材位置検出手段と、可動レンズを移動させるための信号を出力する信号出力手段と、操作部材位置検出手段からの信号に基づいてレンズ駆動手段を駆動し、信号出力手段からの信号に基づいて操作部材駆動手段を駆動する制御手段と、操作部材駆動手段から操作部材への駆動力伝達を行う伝達状態と駆動力伝達を行わない非伝達状態とに切り換え可能な切換え機構と、切換え機構の状態を検出するための信号を出力する切換え機構検出手段とを有する。そして、制御手段は、切換え機構検出手段からの信号に基づいて切換え機構の状態を検出し、切換え機構が前記伝達状態にあるときは信号出力手段からの信号入力に応じて操作部材駆動手段の駆動を行い、切換え機構が非伝達状態にあるときは信号出力手段からの信号入力に応じた操作部材駆動手段の駆動を制限する（例えば、操作部材駆動手段の駆動を行わない、切換え機構を伝達状態に自動切り換えしてから操作部材駆動手段の駆動を行う）。